(57)【特許請求の範囲】
【請求項１】
第１の電位が入力され、制御信号が第１の状態のときに出力端子に電流を供給する第１の増幅経路と、
前記第１の電位よりも高い第２の電位が入力され、制御信号が第２の状態のときに前記出力端子から電流を吸収する第２の増幅経路と、
前記第１の電位と前記第２の電位との間の第３の電位を作成する中間電位作成回路と、
前記出力端子の電位が前記第３の電位よりも低いときに第１の状態の制御信号を作成し、前記出力端子の電位が前記第３の電位よりも高いときに第２の状態の制御信号を作成することにより、前記第１の増幅経路と前記第２の増幅経路との内の一方のみを活性化する比較回路と、
を具備する電源回路。
【請求項２】
前記第１の増幅経路が、出力段にＰチャネルトランジスタを用いた負帰還増幅器を含み、前記第２の増幅経路が、出力段にＮチャネルトランジスタを用いた負帰還増幅器を含むことを特徴とする請求項１記載の電源回路。
【請求項３】
前記中間電位作成回路が、前記第１の電位と前記第２の電位とを分圧することにより前記第３の電位を作成することを特徴とする請求項１又は２記載の電源回路。
【発明の詳細な説明】
【０００１】
【発明の属する技術分野】
本発明は、ＬＣＤドライバ等の電源回路に関し、特に、プッシュプル方式により負荷に電源を供給するボルテージフォロア形式の電源回路に関する。
【０００２】
【従来の技術】
従来のＬＣＤドライバ等の電源回路においては、図５に示すようなプッシュプル方式を用いるものがあった。図５に示す電源回路は、出力段にＰチャネルトランジスタを用いて出力端子に電流を供給する第１の増幅経路１００と、出力段にＮチャネルトランジスタを用いて出力端子から電流を吸収する第２の増幅経路２００とを含んでいる。この電源回路には、高電位側の入力電位ＶHと低電位側の入力電位ＶLとを抵抗Ｒ１０、Ｒ２０、Ｒ３０によって分圧して得られた第１の電位Ｖ10と第２の電位Ｖ20とが供給されている。第１の増幅経路１００には低い方の第２の電位Ｖ20が供給され、第２の増幅経路２００には高い方の第１の電位Ｖ10が供給されるので、通常は、第１の増幅経路１００の出力トランジスタと第２の増幅経路２００の出力トランジスタとの両方が同時に動作することはない。
【０００３】
【発明が解決しようとする課題】
しかしながら、プロセスのばらつき等により、第１の増幅経路１００又は第２の増幅経路２００に含まれる差動増幅器の差動対を構成するトランジスタのしきい電圧等が変動した場合には、第１の増幅経路１００の出力トランジスタと第２の増幅経路２００の出力トランジスタとの両方が同時に動作してしまう場合があり、このとき大電流が流れてしまうという問題があった。一方、抵抗Ｒ２０の値を大きくすることにより、第１の電位Ｖ10と第２の電位Ｖ20とのオフセットを大きくすると、電源回路の出力電圧が波を打ったように振動してしまうという問題があった。
【０００４】
ところで、日本国特許出願公開（特開）昭６１−７９３１２号公報には、増幅器の出力に含まれる直流成分をウインドコンパレータに入力し、あるレベルを超えた時に逐次比較レジスタを動作させてマルチプレクサに制御信号を送り、初段増幅器の共通ソース抵抗の中点を制御するオフセット調整手段を備えた直流増幅器が記載されている。
【０００５】
また、特開平７−１０６８７５号公報には、差動トランジスタと、差動トランジスタの共通接続されたソース電極に接続された電流源のトランジスタと、これらに並列に接続された抵抗及び電流源のトランジスタと、抵抗の両端の電圧を基準電圧と比較して出力を２つの電流源のトランジスタに帰還する比較器とを備えた半導体集積回路が記載されている。
【０００６】
しかしながら、これらの文献において記載されている技術は、出力電位のＤＣオフセットを調整するためのものであり、出力段におけるプッシュプル動作を制御するものではない。
【０００７】
そこで、上記の点に鑑み、本発明は、プッシュプル方式により負荷に電源を供給する電源回路において、出力段のＰチャネルトランジスタとＮチャネルトランジスタの動作を制御することによって、プロセス等のばらつきにより大電流が流れるのを防止することを目的とする。
【０００８】
【課題を解決するための手段】
以上の課題を解決するため、本発明に係る電源回路は、第１の電位が入力され、制御信号が第１の状態のときに出力端子に電流を供給する第１の増幅経路と、第１の電位よりも高い第２の電位が入力され、制御信号が第２の状態のときに出力端子から電流を吸収する第２の増幅経路と、第１の電位と第２の電位との間の第３の電位を作成する中間電位作成回路と、出力端子の電位が第３の電位よりも低いときに第１の状態の制御信号を作成し、出力端子の電位が第３の電位よりも高いときに第２の状態の制御信号を作成することにより、第１の増幅経路と第２の増幅経路との内の一方のみを活性化する比較回路とを具備する。
【０００９】
ここで、第１の増幅経路が、出力段にＰチャネルトランジスタを用いた負帰還増幅器を含み、第２の増幅経路が、出力段にＮチャネルトランジスタを用いた負帰還増幅器を含むように構成しても良い。
また、中間電位作成回路が、第１の電位と第２の電位とを分圧することにより第３の電位を作成するようにしても良い。
【００１０】
以上の様に構成した本発明に係る電源回路によれば、基準電位となる第３の電位と出力端子の電位とを比較して第１及び第２の増幅経路の動作を制御することによって、プロセス等のばらつきにより大電流が流れることを防止できる。
【００１１】
【発明の実施の形態】
以下、図面に基づいて、本発明の実施の形態について説明する。
図１は、本発明の第１の実施形態に係る電源回路の構成を示す図である。図１に示すように、この電源回路は、出力段にＰチャネルトランジスタを用いて出力端子に電流を供給する第１の増幅経路１０と、出力段にＮチャネルトランジスタを用いて出力端子から電流を吸収する第２の増幅経路２０とを含んでいる。
【００１２】
図２に、第２の増幅経路２０の具体的な回路例を示す。第２の増幅経路２０は、ＮチャネルトランジスタＱＮ１〜ＱＮ２及びＰチャネルトランジスタＱＰ３〜ＱＰ４等により構成される差動増幅器と、出力段のＮチャネルトランジスタＱＮ５と、出力段のトランジスタをオン／オフするためのＮチャネルトランジスタＱＮ７とを含んでいる。制御入力に印加される制御信号がハイレベルになると、インバータ２の出力がローレベルになり、トランジスタＱＮ７がオフして出力段のトランジスタＱＮ５が動作する。一方、制御入力に印加される制御信号がローレベルになると、インバータ２の出力がハイレベルになり、トランジスタＱＮ７がオンして出力段のトランジスタＱＮ５がオフする。
【００１３】
図３に、第１の増幅経路１０の具体的な回路例を示す。第１の増幅経路１０は、ＰチャネルトランジスタＱＰ１〜ＱＰ２及びＮチャネルトランジスタＱＮ３〜ＱＮ４等により構成される差動増幅器と、出力段のＰチャネルトランジスタＱＰ５と、出力段のトランジスタをオン／オフするためのＰチャネルトランジスタＱＰ７とを含んでいる。制御入力に印加される制御信号がハイレベルになると、インバータ１の出力がローレベルになり、トランジスタＱＰ７がオンして出力段のトランジスタＱＰ５がオフする。一方、制御入力に印加される制御信号がローレベルになると、インバータ１の出力がハイレベルになり、トランジスタＱＰ７がオフして出力段のトランジスタＱＰ５が動作する。
【００１４】
再び図１を参照すると、この電源回路には、高電位側の入力電位ＶHと低電位側の入力電位ＶLとを抵抗Ｒ１〜Ｒ４によって分圧して得られた第１の電位Ｖ1と第２の電位Ｖ2とが供給されている。また、第１の電位Ｖ1と第２の電位Ｖ2との間の第３の電位Ｖ3が、比較回路３０の反転入力に供給されている。比較回路３０の非反転入力には、出力端子が接続されている。比較回路３０は、第１の増幅経路１０及び第２の増幅経路２０に供給するための制御信号を出力する。
【００１５】
これにより、出力端子の電位が第３の電位Ｖ3よりも高い場合には、制御信号がハイレベルとなって、第２の増幅経路２０のみが動作する。一方、出力端子の電位が第３の電位Ｖ3よりも低い場合には、制御信号がローレベルとなって、第１の増幅経路１０のみが動作する。その結果、第１の増幅経路１０と第２の増幅経路２０との両方が同時に動作することがなく、プロセス等のばらつきにより大電流が流れることを防止できる。
【００１６】
また、第１の電位Ｖ1と第２の電位Ｖ2とのオフセットを大きくする必要がないので、電源回路の出力電圧が波を打ったように振動してしまうという問題を解決することもできる。
【００１７】
次に、本発明の第２の実施形態に係る電源回路について、図４を参照しながら説明する。図４に示すように、本実施形態においては、比較回路３０が出力する制御信号を第２の増幅経路２０のトランジスタＱＮ７（図２参照）に直接入力することにより、インバータ２を省略している。同様に、比較回路３０の出力を第１の増幅経路１０のトランジスタＱＰ７（図３参照）に直接入力することにより、インバータ１を省略している。また、比較回路３０の非反転入力には第３の電位Ｖ3が供給され、比較回路３０の反転入力には出力端子が接続される。
【００１８】
これにより、出力端子の電位が第３の電位Ｖ3よりも高い場合には、制御信号がローレベルとなって、第２の増幅経路２０のみが動作する。一方、出力端子の電位が第３の電位Ｖ3よりも低い場合には、制御信号がハイレベルとなって、第１の増幅経路１０のみが動作する。その結果、第１の実施形態と同様に、第１の増幅経路１０と第２の増幅経路２０との両方が同時に動作することがなく、プロセス等のばらつきにより大電流が流れることを防止できる。
【００１９】
【発明の効果】
以上述べた様に、本発明によれば、プッシュプル方式により負荷に電源を供給する電源回路において、入力電位から作成した基準電位と出力端子の電位とを比較して第１及び第２の増幅経路の動作を制御することによって、プロセス等のばらつきにより大電流が流れることを防止できる。
【図面の簡単な説明】
【図１】本発明の第１の実施形態に係る電源回路の構成を示す図である。
【図２】図１の第２の増幅経路の具体的な回路例を示す回路図である。
【図３】図１の第１の増幅経路の具体的な回路例を示す回路図である。
【図４】本発明の第２の実施形態に係る電源回路の構成を示す図である。
【図５】従来の電源回路の構成を示す図である。
【符号の説明】
１、２  インバータ
１０、２０、１００、２００  増幅経路
３０  比較回路
ＱＰ１〜ＱＰ７  Ｐチャネルトランジスタ
ＱＮ１〜ＱＮ７  Ｎチャネルトランジスタ
Ｒ１〜Ｒ３０  抵抗
【図１】
0003695305.tif 000002
【図２】
0003695305.tif 000003
【図３】
0003695305.tif 000004
【図４】
0003695305.tif 000005
【図５】
0003695305.tif 000006